【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
第１の光伝送経路と第２の光伝送経路およびループバック経路を有する光通信ネットワークのための偏波異常ロケータ・システムであって、
プローブ信号を前記ネットワーク上で送信する、プローブ信号源と光結合した変調セクションを有する送信器であって、前記ループバック経路は、前記第１の伝送経路から前記第２の伝送経路へ前記プローブ信号の少なくとも一部を戻りプローブ信号として結合し、前記変調セクションが、特定の周波数の前記プローブ信号に一定の深さの変調をかけるように構成された送信器と、
前記戻りプローブ信号を受信し、当該戻りプローブ信号に応じて前記ネットワーク内の偏波異常を検出するように構成された受信器と、を備える偏波異常ロケータ・システム。
【請求項２】
前記変調セクションは、
搬送周波数の前記プローブ・レーザ出力信号の振幅を変調するように構成された振幅変調器と、
偏波周波数の前記プローブ・レーザ出力信号の偏波を変調するように構成された偏波変調器とをさらに備え、
それにより前記振幅変調器および偏波変調器が、変調プローブ・レーザ出力信号を提供する、請求項１に記載のシステム。
【請求項３】
前記振幅変調器は、前記搬送周波数の前記プローブ・レーザ出力信号に正弦波強度変化を付与するために、前記プローブ・レーザ出力信号の振幅を変調するように構成される、請求項２に記載の偏波異常ロケータ・システム。
【請求項４】
前記偏波変調器は、前記偏波周波数の偏波が実質的に直交する状態間で、前記プローブ・レーザ出力信号の偏波状態のスイッチングを付与するために、当該プローブ・レーザ出力信号を偏波変調するように構成される、請求項２に記載の偏波異常ロケータ・システム。
【請求項５】
前記送信器は、前記変調プローブ・レーザ出力信号の平均偏波状態を調整するように構成された偏波調整器をさらに備える、請求項２に記載の偏波異常ロケータ・システム。
【請求項６】
前記送信器は、制御信号に応じて、前記変調プローブ・レーザ出力信号を光経路上に選択的に切り換えるように構成された光スイッチをさらに備える、請求項２に記載の偏波異常ロケータ・システム。
【請求項７】
前記送信器は、
装荷信号を提供するように構成された装荷レーザと、
装荷レーザ制御信号に応じて、装荷信号光経路上の前記装荷信号を切り換えるように構成された装荷レーザ光スイッチと、
前記光経路上および前記装荷信号光経路上の光パワーを、パワー結合器出力として結合するように構成されたパワー結合器と、をさらに備える請求項６に記載の偏波異常ロケータ・システム。
【請求項８】
前記制御信号は、前記装荷レーザ光スイッチが閉状態である場合には、前記光スイッチをオン状態に切り換え、前記装荷レーザ光スイッチが開状態である場合には、前記光スイッチをオフ状態に切り換えるように構成される、請求項７に記載の偏波異常ロケータ・システム。
【請求項９】
前記装荷信号の周波数が、前記ネットワークの光通過帯域内にあり、前記プローブ・レーザ出力信号の周波数とは異なる、請求項７に記載の偏波異常ロケータ・システム。
【請求項１０】
前記送信器は、前記パワー結合器出力を基準異常レベルにするよう構成された光基準素子をさらに備える、請求項７に記載の偏波異常ロケータ・システム。
【請求項１１】
前記送信器は、前記光基準素子の出力の平均偏波状態を調整するように構成された偏波調整器をさらに備える、請求項１０に記載の偏波異常ロケータ・システム。
【請求項１２】
前記送信器が、前記プローブ信号を基準異常レベルにするよう構成された光基準素子をさらに備える、請求項１に記載の偏波異常ロケータ・システム。
【請求項１３】
前記基準異常レベルが、偏波依存性損失の所定レベルである請求項１２に記載の偏波異常ロケータ・システム。
【請求項１４】
前記基準異常レベルが、偏波モード分散の所定レベルである請求項１２に記載の偏波異常ロケータ・システム。
【請求項１５】
前記受信器は、前記戻りプローブ信号を受信して、累積色分散を補償するための色分散補償器を備える、請求項１に記載の偏波異常ロケータ・システム。
【請求項１６】
前記偏波異常が偏波依存性損失であり、前記受信器が、前記戻りプローブ信号を表す信号の振幅を検出することにより、前記偏波依存性損失を検出するように構成された振幅検出器を備える、請求項１に記載の偏波異常ロケータ・システム。
【請求項１７】
前記偏波異常が偏波モード分散であり、前記受信器が、前記戻りプローブ信号を表す信号の位相変調を検出することにより、前記偏波モード分散を検出するように構成された位相検出器を備える、請求項１に記載の偏波異常ロケータ・システム。
【請求項１８】
前記位相検出器がＰＭ／ＡＭ変換器を備える、請求項１７に記載の偏波異常ロケータ・システム。
【請求項１９】
前記プローブ信号が搬送周波数で送信されて、偏波変調周波数で変調され、前記ＰＭ／ＡＭ変換器が、前記戻りプローブ信号を表す前記信号を、第１、第２および第３の光経路上に分割するためのパワー分割器を備え、前記第１の光経路が、実質的に前記搬送周波数と前記偏波変調周波数とを加算した周波数に等しい周波数を中心とする通過帯域を有する第１の帯域通過フィルタを備え、前記第２の光経路が、実質的に前記搬送周波数に等しい周波数を中心とする通過帯域を有する第２の帯域通過フィルタ、および前記第２の帯域通過フィルタの出力を遅延させるための遅延素子を備え、前記第３の光経路が、実質的に前記搬送周波数から前記偏波変調周波数を減算した周波数に等しい周波数を中心とする通過帯域を有する第３の帯域通過フィルタ、および前記第１の帯域通過フィルタ、前記遅延素子、および前記第３の帯域通過フィルタから出力されるパワーを結合するためのパワー結合器を備える、請求項１８に記載の偏波異常ロケータ・システム。
【請求項２０】
前記プローブ信号が、振幅変調および偏波変調される、請求項１に記載の偏波異常ロケータ・システム。
【請求項２１】
前記プローブ信号が振幅変調される、請求項１に記載の偏波異常ロケータ・システム。
【請求項２２】
前記プローブ信号が偏波変調される、請求項１に記載の偏波異常ロケータ・システム。
【請求項２３】
前記第２の伝送経路に光結合するインバウンド装荷レーザを備え、前記インバウンド装荷レーザは、第２の伝送経路に関連する雑音レベルを低減するように構成される、請求項１に記載の偏波異常ロケータ・システム。
【請求項２４】
光通信ネットワーク内の偏波依存性異常を検出する方法であって、
プローブ信号を前記ネットワーク上で送信するステップと、
戻りプローブ信号として前記ネットワークから前記プローブ信号を受信するステップと、
前記戻りプローブ信号に応じて前記偏波異常を検出するステップとを含む方法。
【請求項２５】
前記プローブ信号の移動距離に応じて、前記偏波異常の位置を計算するステップをさらに含む、請求項２４に記載の方法。
【請求項２６】
前記プローブ信号が、振幅変調および偏波変調される、請求項２４に記載の方法。
【請求項２７】
前記プローブ信号が振幅変調される、請求項２４に記載の方法。
【請求項２８】
前記プローブ信号が偏波変調される、請求項２４に記載の方法。
【請求項２９】
前記ネットワークが、第１の光伝送経路と第２の光伝送経路およびループバック経路を備え、前記プローブ信号の少なくとも一部が、前記第１の伝送経路上で送信され、前記ループバック経路を介して、前記戻りプローブ信号として前記第２の伝送経路から受信される、請求項２４に記載の方法。
【請求項３０】
光通信ネットワーク内の偏波依存性異常のレベルを近似化する方法であって、
プローブ信号を前記ネットワーク上で送信するステップと、
戻りプローブ信号として前記ネットワークから前記プローブ信号を受信するステップと、
基準プローブ信号を既知の基準異常と共に前記ネットワーク上で送信するステップと、
戻り基準プローブ信号として前記ネットワークから前記基準プローブ信号を受信するステップと、
前記戻り基準プローブ信号と前記戻りプローブ信号を比較するステップとを含む方法。
【請求項３１】
前記プローブ信号および前記基準プローブ信号が、振幅変調および偏波変調される、請求項３０に記載の方法。
【請求項３２】
前記プローブ信号および前記基準プローブ信号が振幅変調される、請求項３０に記載の方法。
【請求項３３】
前記プローブ信号および前記基準プローブ信号が偏波変調される、請求項３０に記載の方法。
【請求項３４】
前記ネットワークが、第１の光伝送経路と第２の光伝送経路およびループバック経路を備え、前記プローブ信号の少なくとも一部が、前記第１の伝送経路上で送信され、前記ループバック経路を介して、前記戻りプローブ信号として前記第２の伝送経路から受信される、請求項３０に記載の方法。
【請求項３５】
前記既知の基準異常が、偏波依存性損失の既知量である、請求項３０に記載の方法。
【請求項３６】
前記既知の基準異常が、偏波モード分散の既知量である、請求項３０に記載の方法。
【手続補正２】
【補正対象書類名】図面
【補正対象項目名】図４
【補正方法】変更
【補正の内容】
【図４】
2002368702.tif 000001